【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
上下方向にそれぞれ延び、先端部が床面に形成された係合穴に嵌る２本の棒状部材を有する落とし杆を備え、シャッタ装置の中柱を固定するシャッタ中柱固定装置であって、
前記落とし杆が、該落とし杆を操作する把手部を有し、
前記把手部が、床面から４００〜１０００ｍｍの位置にあるシャッタ中柱固定装置。
【請求項２】
請求項１記載のシャッタ中柱固定装置において、
前記２本の棒状部材の間隔を修正する第１のアジャスト機構を更に備えたシャッタ中柱固定装置。
【請求項３】
請求項２記載のシャッタ中柱固定装置において、
前記落とし杆の上下方向の移動をガイドするガイド機構を更に備えたシャッタ中柱固定装置。
【請求項４】
請求項３記載のシャッタ中柱固定装置において、
前記第１のアジャスト機構及び前記ガイド機構よりも上側に、前記落とし杆の上方向の移動を制限するロック機構を更に備えたシャッタ中柱固定装置。
【請求項５】
請求項４記載のシャッタ中柱固定装置において、
前記第１のアジャスト機構及び前記ガイド機構よりも上側に、前記２本の棒状部材の間隔を修正する第２のアジャスト機構を更に備えたシャッタ中柱固定装置。
【請求項６】
請求項１〜５のいずれか１項に記載のシャッタ中柱固定装置が備える落とし杆。
【請求項７】
中柱と、
上下方向にそれぞれ延び、先端部が床面に形成された係合穴に嵌る２本の棒状部材を有し、前記中柱を固定する落とし杆と、を備え、
前記落とし杆が、該落とし杆を操作する把手部を有し、
前記把手部が、床面から４００〜１０００ｍｍの位置にあるシャッタ装置。
【請求項８】
先端部が床面に形成された係合穴に嵌り、上下方向に移動する移動部材を備え、シャッタ装置の中柱を固定するシャッタ中柱固定装置であって、
前記移動部材が、該移動部材を上下方向に移動させるための把手部を有し、
前記把手部が、床面から４００〜１０００ｍｍの位置にあるシャッタ中柱固定装置。
【請求項９】
複数のスラットを上下に連結して形成されたシャッタ面を少なくとも左右２面備えて形成されたシャッタの前記シャッタ面と前記シャッタ面との間に、床面に対して垂直に設けられた中柱の内側面にＷ落としを備えたシャッタ中柱固定装置において、
前記Ｗ落しの左右２本の金属棒の間隔を調節可能なアジャスト機構と、
前記Ｗ落としを上方および下方に配置して、前記上方および下方のＷ落とし間を連結する少なくとも１本の連結棒と、を備え、
前記上方のＷ落としの左右の突出部に横渡しで接合された横棒と、前記下方のＷ落としの把手とを前記連結棒を介して接合したことを特徴とするシャッタ中柱固定装置。
【手続補正２】
【補正対象書類名】明細書
【補正対象項目名】全文
【補正方法】変更
【補正の内容】
【発明の詳細な説明】
【発明の名称】シャッタ中柱固定装置、落とし杆、及びシャッタ装置
【技術分野】
【０００１】
本発明は、例えば建屋などの開口部に設けられるシャッタの中柱を固定するシャッタ中柱固定装置、落とし杆、及びシャッタ装置に関する。
【背景技術】
【０００２】
以下、背景技術について説明する。
図９は、従来の実施形態を示す概略図である。図９に示すように、施錠機構Ｌが、ロッド１０４ｂの周面に突設されたピン１１１と、当該ピン１１１によって上方から圧されると引っ込み、落とし杆１０４が係合孔１０３内に完全に落とし込まれてピン１１１の力が除かれると再びラッチボルト１１３が飛び出すスプリングキャッチ１１２とから構成され、ラッチボルト１１３には、錠ケース１０６の外に突出する解錠操作子１１４が突設されている。ピン１１１は、スプリング１０７を弾縮させるためにロッド１０４ｂに突設されたピン１１５と同じ高さに突設され、解錠状態においては、これらピン１１１及び１１５がスプリング１０７の弾性により錠ケース１０６内の上面に圧し当てられて、落とし杆１０４が錠ケース１０６内から抜け出すのを防止するストッパとして作用している。スプリングキャッチ１１２は、ロッド１０４ａ、１０４ｂ間に位置して錠ケース１０６の内壁に固設された一対のブラケット１１６、１１６に左右摺動可能に支持されたラッチボルト１１３と、当該ラッチボルト１１３の先端部をロッド１０４ｂと直交する位置に進出させるように付勢するスプリング１１７とから構成されている。ラッチボルト１１３の先端部には、上方から下方に向かって作用する垂直方向の力を水平方向の力に変換する傾斜面１１８が形成されている。また、解錠操作子１１４は、ラッチボルト１１３の周面から突設され、錠ケース１０６の壁面を貫通して錠ケース１０６の正面側に突出している。なお、錠ケース１０６の壁面には、解錠操作子１１４を左右にスライドさせる長孔が穿設されている。また、錠ケース１０６の裏面側には、中柱の下端に嵌着されるアングルが一体的に形成されている。
【０００３】
次に作用効果として、まず、錠ケース１０６のアングル内に中柱の下端を嵌め込んで、装置全体を中柱に取り付ける。この状態で、中柱を床の上に立設すると共に、落とし杆１０４を押し下げて左右のロッド１０４ａ、１０４ｂを受け座の係合孔内に落とし込む。これにより、ロッド１０４ｂに突設されたピン１１１が、ラッチボルト１１３の先端部に形成された傾斜面１１８に上方から係合して、ラッチボルト１１３をスプリング１１７の弾性に抗して後退させる。そして、ラッチボルト１１３がピン１１１から完全に離反するように引っ込むと、ピン１１１がラッチボルト１１３の先端部を通過して更に下降すると同時に、ラッチボルト１１３に作用していたピン１１１の力が解除されて、ラッチボルト１１３がスプリング１１７の弾発力によって勢い良く飛び出し、その際に「カチャ」という非常に大きくて明確な施錠音を発する。これにより、落とし杆１０４が完全に押し下げられて施錠状態となったか否かを容易に確認できる。すなわち、落とし杆１０４を力一杯押し下げても施錠音が生じなかった時には、受け座の係合孔内にゴミやホコリが溜まっていて完全な施錠状態が得られていないことを感覚的に確実に察知できるから、施錠不良によって中柱が外れる事故を未然に防止することができる。そして、施錠状態を解除する場合には、ラッチボルト１１３に突設された解錠操作子１１４により、ラッチボルト１１３をピン１１１から離反する水平方向にスライドさせるだけで、落とし杆１０４全体がスプリング１０７の弾性によって解錠方向ｆに持ち上げられる。このように構成された施錠機構Ｌは、落とし杆１０４のロッド１０４ｂに突設されたピン１１１と、ラッチボルト１１３に解錠操作子１１４を突設したスプリングキャッチ１１２とから成る極めて簡易なものであり、しかも、解錠操作子１１４については従来の解錠操作レバーと異なり、リンク機構を用いる必要などないから、装置全体の製造コストを大幅に低減することができる。また、ロッド１０４ｂは、従来のように周面を切欠するものではないから、強度が低下することもない。更に、解錠操作子１１４は、錠ケース１０６の正面側に突出せられ、しかも、水平方向に操作されるように成されているから、シャッタを開閉する際に邪魔になることがないと同時に、シャッタカーテンを上げ下ろしする手が触ったり、シャッタカーテンの座板が当たったりするなどして誤操作されるおそれもない（特許文献１参照）。
【先行技術文献】
【特許文献】
【０００４】
【特許文献１】実公平６−１６０９２号公報
【発明の概要】
【発明が解決しようとする課題】
【０００５】
上記従来例の中柱固定装置では、ラッチボルトがスプリングの弾発力によって勢い良く飛び出し、その際に「カチャ」という非常に大きくて明確な施錠音を発して、落とし杆が完全に押し下げられて施錠状態となったか否かを容易に確認でき、受け座の係合孔内にゴミやホコリが溜まっていて完全な施錠状態が得られていないことを感覚的に確実に察知できる。しかしながら、このシャッタの中柱固定装置は、中柱の下端部に設けられており、落とし杆を操作する際に、体をかがめて無理な姿勢で操作しなければならないと共に、中柱を持ち運ぶ際にも無理な体勢を余儀なく強いられるため腰を痛める可能性があった。
【０００６】
本発明は、操作性を向上させたシャッタ中柱固定装置、落とし杆、及びシャッタ装置を提供することを目的とする。
【課題を解決するための手段】
【０００７】
前記目的に沿う第１の発明に係るシャッタ中柱固定装置は、上下方向にそれぞれ延び、先端部が床面に形成された係合穴に嵌る２本の棒状部材を有する落とし杆を備え、シャッタ装置の中柱を固定するシャッタ中柱固定装置であって、前記落とし杆が、該落とし杆を操作する把手部を有し、前記把手部が、床面から４００〜１０００ｍｍの位置にある。
第１の発明に係るシャッタ中柱固定装置において、前記２本の棒状部材の間隔を修正する第１のアジャスト機構を更に備えることが好ましい。
第１の発明に係るシャッタ中柱固定装置において、前記落とし杆の上下方向の移動をガイドするガイド機構を更に備えることが好ましい。
第１の発明に係るシャッタ中柱固定装置において、前記第１のアジャスト機構及び前記ガイド機構よりも上側に、前記落とし杆の上方向の移動を制限するロック機構を更に備えることが好ましい。
第１の発明に係るシャッタ中柱固定装置において、前記第１のアジャスト機構及び前記ガイド機構よりも上側に、前記２本の棒状部材の間隔を修正する第２のアジャスト機構を更に備えることが好ましい。
前記目的に沿う第２の発明に係る落とし杆は、第１の発明に係るシャッタ中柱固定装置が備える落とし杆である。
前記目的に沿う第３の発明に係るシャッタ装置は、中柱と、上下方向にそれぞれ延び、先端部が床面に形成された係合穴に嵌る２本の棒状部材を有し、前記中柱を固定する落とし杆と、を備え、前記落とし杆が、該落とし杆を操作する把手部を有し、前記把手部が、床面から４００〜１０００ｍｍの位置にある。
前記目的に沿う第４の発明に係るシャッタ中柱固定装置は、先端部が床面に形成された係合穴に嵌り、上下方向に移動する移動部材を備え、シャッタ装置の中柱を固定するシャッタ中柱固定装置であって、前記移動部材が、該移動部材を上下方向に移動させるための把手部を有し、前記把手部が、床面から４００〜１０００ｍｍの位置にある。
前記目的に沿う第５の発明に係るシャッタ中柱固定装置は、複数のスラットを上下に連結して形成されたシャッタ面を少なくとも左右２面備えて形成されたシャッタの前記シャッタ面と前記シャッタ面との間に、床面に対して垂直に設けられた中柱の内側面にＷ落としを備えたシャッタ中柱固定装置において、前記Ｗ落しの左右２本の金属棒の間隔を調節可能なアジャスト機構と、前記Ｗ落としを上方および下方に配置して、前記上方および下方のＷ落とし間を連結する少なくとも１本の連結棒と、を備え、前記上方のＷ落としの左右の突出部に横渡しで接合された横棒と、前記下方のＷ落としの把手とを前記連結棒を介して接合したことを特徴とする。
【発明の効果】
【０００８】
本発明によれば、シャッタ中柱固定装置の操作性を向上させることができる。
【図面の簡単な説明】
【０００９】
【図１】本発明の第１の実施形態に係るシャッタ中柱固定装置を備えたシャッタの概略図である。
【図２】本発明の第１の実施形態に係るシャッタ中柱固定装置であって、図１に示すＡ部の拡大概略図であり、（ａ）は正面図、（ｂ）は側面図である。
【図３】本発明の第１の実施形態に係るシャッタ中柱固定装置であって、図１に示すＢ部の拡大概略図であり、（ａ）は正面図、（ｂ）は（ａ）に示すＤ―Ｄ線の断面端面図、（ｃ）は（ａ）に示すＥ―Ｅ線の断面端面図である。
【図４】本発明の第１の実施形態に係るシャッタ中柱固定装置のロック機構の詳細図を示し、（ａ）は図２の(ｂ)に示すＣ―Ｃ線の断面端面図、（ｂ）は（ａ）に示すＦ−Ｆ線の断面端面図（ロック時）、（ｃ）は（ａ）に示すＦ−Ｆ線の断面端面図（ロック解除時）、（ｄ）は上部及び下部アジャスト機構を示す正面断面図、（ｅ）は（ｄ）に示すＧ−Ｇ線の断面端面図である。
【図５】本発明の第１の実施形態に係るシャッタ中柱固定装置のＬＥＤ照明機構の概略を示し、（ａ）は照明光の照射状態図および突出部の動作図、（ｂ）は（ａ）に示すＨ−Ｈ線の断面端面図である。
【図６】本発明の第２、第３の実施形態に係るシャッタ中柱固定装置の概略を示し、（ａ）は第２の実施形態に係るシャッタ中柱固定装置の概略を示す正面図、（ｂ）は第３の実施形態に係るシャッタ中柱固定装置の概略を示す正面図である。
【図７】本発明の第２の実施形態に係るシャッタ中柱固定装置の概略を示し、上方のＷ落としを示す拡大正面図である。
【図８】本発明の第２の実施形態に係るシャッタ中柱固定装置の概略を示し、下方のＷ落としを示す拡大正面図である。
【図９】従来の実施形態を示す概略図である。
【発明を実施するための形態】
【００１０】
以下、本発明の第１の実施形態を図面を参照しながら詳細に説明する。
図１は、本発明の第１の実施形態に係るシャッタ中柱固定装置を備えたシャッタの概略図である。
図２は、本発明の第１の実施形態に係るシャッタ中柱固定装置であって、図１に示すＡ部の拡大概略図であり、（ａ）は正面図、（ｂ）は側面図である。
図３は、本発明の第１の実施形態に係るシャッタ中柱固定装置であって、図１に示すＢ部の拡大概略図であり、（ａ）は正面図、（ｂ）は（ａ）に示すＤ―Ｄ線の断面端面図、（ｃ）は（ａ）に示すＥ―Ｅ線の断面端面図である。
【００１１】
図１、図２の（ａ）（ｂ）、及び図３の（ａ）（ｂ）（ｃ）に示すように、シャッタ中柱固定装置１は、複数のスラット２、２…を上下に連結して形成されたシャッタ面３を少なくとも左右２面備えて形成されたシャッタ４において、シャッタ面３とシャッタ面３との間に地面（床面）方向から垂直に設けられた中柱５の内側面に沿設されている。
中柱５は、シャッタ面３を収納するシャッタケース６と地面Ｇとの間に設けられ、建物の開口部（図略）を開放した状態で邪魔にならないように、取り外しが可能となっている。
【００１２】
中柱５を取り付ける場合、中柱５の上端部をシャッタケース６に差し込み、その後下端部を凹状の係合穴７ａに落とし込んでいる。この中柱５には、落とし杆８が内側面に沿設され、落とし杆８が床面Ｇに設けられた係合穴７ａに嵌脱可能となっている。
このとき落とし杆８が床面である地面Ｇから外れないようにするため、中柱５の下端にシャッタ中柱固定装置１が設けられており、床面側に形成した係合穴７ａに嵌入して固定している。落とし杆８は、中柱５の内側面に沿設された左右２本の直線状の金属棒８ａ、８ａと、この直線状の金属棒８ａ、８ａの上端を繋いで形成された把手部８ｂとを備え、高さ４００〜１０００ｍｍの長さを有している。なお、床から把手部までの高さが５００ｍｍ程度以上は通常操作では必要だと思える。これは、操作者の背丈や体形によるところがある。
【００１３】
把手部８ｂの下方には、落とし杆８の上下方向への移動を摺動可能にガイドするガイド孔１０ａと、さらに、落とし杆８の上方への移動をロックするロック機構９とを備えた上部機構部１０を設けている。この上部機構部１０の下方には、落とし杆８の左右２本の金属棒８ａ、８ａの間隔を調節可能な上部アジャスト機構１１を設けている。
また、この下方には、落とし杆８の上下方向の移動を摺動可能にガイドするガイド孔１２ａを備えた下部機構部１２を備えている。この下部機構部１２の直近の上方には、左右２本の金属棒８ａ、８ａの間隔を調節可能な下部アジャスト機構１３を設けている。
また、落とし杆８の下端の左右２本の金属棒８ａ、８ａの下端にそれぞれ突出部８ｃ、８ｃを備えている。そして、この突出部８ｃ、８ｃを挿入可能に形成された係合穴７ａを有する嵌合機構７を床面Ｇに埋設して設けている。そして、一方のシャッタ面３は、内壁部１４を有するシャッタ内側から見て左側の内壁左側支柱１４ａと中柱５で上下に摺動可能にガイドされ、他方のシャッタ面３は、中柱５と内壁右側支柱１４ｂでガイドされている。シャッタ面３の揚げ下げは自動であり、不図示の電動機および制御装置で駆動制御されている。なお、シャッタ面３の揚げ下げは手動でも可能なようになっており、シャッタ面３の下端には指用穴１５が設けられている。
【００１４】
このように、落とし杆８の把手部８ｂを地面から高さ４００〜１０００ｍｍの位置に来るようにして、その下方にガイド孔１０ｃおよびロック機構９と、落とし杆８の左右２本の金属棒８ａ、８ａの間隔を調節可能な上部アジャスト機構１１及び下部アジャスト機構１３とを備えたことにより、自動ロック機構９によって落とし杆８の設置・挿着・施錠状態を確実に確認できると共に、落とし杆８の把手部８ｂの位置を高くして、操作者が屈まなくても持ち運びおよび操作し易いように、持ち運びおよび操作性を向上させ、また、金属棒８ａ、８ａ間の間隔を調節する上部アジャスト機構１１及び下部アジャスト機構１３を備えていることによって、落とし杆８やガイド孔１０ｃの変形など経年変化にも対応可能な耐久性を向上させた操作らくらく安心構造のシャッタ中柱固定装置を提供できる。また、ロック機構９によって、中柱５の下端が持ち上がり、凹部７ａから外れる可能性も解消した。
【００１５】
図４は、本発明の第１の実施形態に係るシャッタ中柱固定装置のロック機構の詳細図を示し、（ａ）は図２の(ｂ)に示すＣ―Ｃ線の断面端面図、（ｂ）は（ａ）に示すＦ−Ｆ線の断面端面図（ロック時）、（ｃ）は（ａ）に示すＦ−Ｆ線の断面端面図（ロック解除時）、（ｄ）は上部及び下部アジャスト機構を示す正面断面図、（ｅ）は（ｄ）に示すＧ−Ｇ線の断面端面図である。
図２の（ａ）（ｂ）、および図４の（ａ）（ｂ）（ｃ）に示すように、ロック機構９は、左右２本の金属棒８ａ、８ａに溶接手段によってストップピン１７、１７がそれぞれ内向きに対面して設けられている。このストップピン１７にカム１８の先端面１８ａが当接することによって、落とし杆８の上方向への移動が制限されている。下方向にはストップピン１７が上部機構部の内面１０ａに当接することによって移動を制限されている。図４の（ｂ）はロック時を示し、落とし杆８が上下に移動しないように、ストップピン１７はカム１８と上部機構部１０の内面１０ａとの間で押さえられて、落とし杆８は上下に移動しないようにロックされている。これによって、中柱５は固定され、シャッタ４はきちんと閉じられている。ストップピン１７が溶接などで接合されている落とし杆８において、落とし杆８の突出部８ｃが嵌合機構７の係合穴７ａにきちんと嵌入されない場合は、係合穴７ａにゴミやホコリなどが埋まっていたり、何らかの原因で嵌入されない場合であり、このときは、カム１８がストップピン１７と当接しないため、落とし杆８の上方向への移動をロックすることができず、解錠操作用の押しボタン１６が上部機構部１０から突出しない。突出していても軽く押すことで容易にへこみ、ロックしてないことが操作者に容易に確認できる。
【００１６】
次に、図４の（ｃ）はロックが解除された様子を示し、押しボタン１９を押すことによって、カム１８を図中右側から上方へ回動させる。押しボタン１６を人が指などで押し込むことによって、カム１８は図中反時計方向に回動され、落とし杆８のロックが解除される。なお、カム１８は軸受２１と軸２２によって回動自在に支持され、このリテーナ溝を備えた軸２２には軸頭２２ａが設けられ、カム１８は、軸頭２２ａとリテーナ２３によって軸受２１に回動自在に軸２２に嵌着されている。カム１８が上方へ回動することによって、ストップピン１７のロックは解除され、ストップピン１７は上方へ移動可能となり、把手部８ｂを引き揚げることによって、ストップピン１７は上部機構部１０の内面１０ｂに当接して止まり、落とし杆８はロックを解除される。そして中柱５を取り外すことができる。
【００１７】
次に、上部アジャスト機構１１および下部アジャスト機構１３について説明する。図２、図３、および図４の（ｄ）（ｅ）に示すように、中柱５は人が手で運んで取り付けるため軽量材で形成されており、凹みや変形が生じ易い。そのため左右２本の金属棒８ａ、８ａ間の平行性は経年変化や取扱い時の損傷などにより変化して、どうしてもその間隔にばらつきが発生する可能性があった。落とし杆８の操作においてこの平行性は大事なものである。落とし杆８の上下の摺動が必ずしも上手くいかないときに、この上部アジャスト機構１１や下部アジャスト機構１３によって左右２本の金属棒８ａ、８ａ間の平行性を修正することができる。従来の落とし杆より長く形成しているので変形し易い個所が生じると思われるが、上部及び下部アジャスト機構１１、１３を変形しやすい個所に溶接などで容易に取り付けることができるので大変都合が良く、シャッタを長期間に亘って使用し続けることができる。
構造としては、上部アジャスト機構１１は、ネジ付ロッド１１ｂ、１１ｂが左右２本の金属棒８ａ、８ａにそれぞれ溶接されて設けられている。これらのネジ付ロッド１１ｂ、１１ｂの間にナットとして機能する長さ調節ハンドル１１ａが螺着されている。この長さ調節ハンドル１１ａには、この両端にそれぞれ正逆ネジが設けられており、ネジ付ロッド１１ｂ、１１ｂに備えられているネジとの間で、片方が逆ネジになっているので、左右２本の金属棒８ａ、８ａ間が伸縮できる。このようなアジャスト機構を備えることによって、経年変化にも対応可能な耐久性を向上させたシャッタ中柱固定装置を提供することができる。
【００１８】
次に、図５は本発明の第１の実施形態に係るシャッタ中柱固定装置のＬＥＤ照明機構の概略を示し、（ａ）は照明光の照射状態図および突出部の動作図、（ｂ）は（ａ）に示すＨ−Ｈ線の断面端面図である。図３の（ａ）（ｂ）（ｃ）および図５の（ａ）（ｂ）に示すように、シャッタ中柱固定装置１は、下部機構部１２に、突出部８ｃ方向を照射する照明装置２４を内蔵している。この照明装置２４は、ＬＥＤ照明２５と、ＬＥＤ照明２５に電源を供給する電源用電池２６と、制御部２７と、ピエゾ素子２８とを備え、落とし杆８の把手部８ｂに手で触れることによってアースされて生じる電圧値の変化でピエゾ素子２８を振動させ、このピエゾ素子２８の変位でＬＥＤ照明２５を点灯し、オフタイマ２９によって消灯するように制御させている。ＬＥＤ照明２５からの照射光Ｐは貫通孔３２から照射され、金属棒８ａ、８ａの突出部８ｃ、８ｃを受け入れる嵌合機構７の係合穴７ａの周辺を照らすようにしている。
このように、電圧値の変化を検出して振動するピエゾ素子を備え、落とし杆の突出部方向を照射する照明装置を備えたことによって、簡単な構造で落とし杆の挿着位置を容易にＬＥＤ照明でき、夜間でも操作性が向上した。
【００１９】
また、照明装置２４は、下部機構部１２の内部に、ＬＥＤ照明２５と、電源用電池２６と、制御部２７と、圧力センサ３０とを備え、下部機構部１２の表面に足のつま先などで軽く衝撃を与えることによって生じる圧力センサ３０の電圧でスイッチ３１をオンさせて点灯し、オフタイマ２９で消灯するように制御させても構わない。
これによって、下部機構部の表面を靴の爪先などで容易に衝撃を与えることによって生じる圧力センサを備えたことによって、簡単な構造で落とし杆の挿着位置をＬＥＤ照明でき、夜間でも操作性が向上した。
【００２０】
次に、本発明の第２の実施形態を図面を参照しながら詳細に説明する。
第２の実施形態と第１の実施形態の異なる点は、第１の実施形態では、全体が１つの落とし杆として構成されているが、第２の実施形態では、落とし杆が、従来の下方のＷ落としの上方にさらにＷ落としを設け、下方のＷ落としと上方のＷ落としとを連結棒４８ｈを用いて連結している点である。
図６の（ａ）は、本発明の第２の実施形態に係るシャッタ中柱固定装置の概略を示す正面図である。なお、第２の実施形態では、従来設けられている落とし杆の上方に落とし杆を設け、操作性向上としたものであり、業界では通称、落とし杆はＷ落としと称されて用いられているので、以下、Ｗ落としで説明する。
図６の（ａ）に示すように、シャッタ中柱固定装置１´は、従来の中柱固定装置に設けられていたＷ落とし５８の上方にＷ落とし４８を配置して、上方のＷ落とし４８と下方のＷ落とし５８とを連結棒４８ｈを介して接合して連結したものである。
この上方のＷ落とし４８は、図２および図４に示す第１の実施形態に係る落とし杆８の上部機構部１０を備えている。
【００２１】
上方のＷ落とし４８の左右の突出部４８ｃ、４８ｃ´の先端に横棒４８ｄを接合する。この横渡しされた横棒４８ｄに連結棒４８ｈの一端を溶接などで接合し、この連結棒４８ｈの他端を下方のＷ落とし５８の把手部５８ｂと溶接などで接合した。この連結棒４８ｈの長さは、操作者の背丈や体形によるところがあるが、上方のＷ落とし４８の把手部４８ｂが床からの高さ５００ｍｍ程度以上となるようにすれば良い。このようにすることによって、従来のＷ落とし５８の上方に追加してＷ落としを簡単に取り付けることができ、Ｗ落とし４８の把手部の位置を高くして持ち運びおよび操作性を向上させることができる。
【００２２】
次に、本発明の第３の実施形態を図面を参照しながら詳細に説明する。図６の（ｂ）は本発明の第３の実施形態に係るシャッタ中柱固定装置の概略を示す正面図である。
図７は、本発明の第３の実施形態に係るシャッタ中柱固定装置の上方のＷ落としを示す拡大正面図である。
図８は、本発明の第３の実施形態に係るシャッタ中柱固定装置の下方のＷ落としを示す拡大正面図である。
第３の実施形態と第２の実施形態の異なる点は、第３の実施形態では、第２の実施形態に係る連結棒４８ｈを、上下２分割して上方連結棒４８ｅと下方連結棒５８ｆとした点である。
【００２３】
図６の（ｂ）、図７、および図８に示すように、シャッタ中柱固定装置１´´において、上方のＷ落とし４８と下方のＷ落とし５８が、袋ナット４８ｇを用いて上部連結棒４８ｅと下部連結棒５８ｆによって連結されている。
上部連結棒４８ｅの下部にネジ部４８ｅａが形成され、下部連結棒５８ｆの上部にネジ部５８ｆａが形成され、これらネジ部４８ｅａとネジ部５８ｆａとを袋ナット４８ｇで連結している。ネジ部４８ｅａとネジ部５８ｆａはそれぞれ正逆ネジが設けられている。
これによって、従来のＷ落としの上方に追加してＷ落としを簡単に取り付けることができ、Ｗ落としの把手部の位置を高くして持ち運び、および操作性を向上させることができる。
【００２４】
このように、従来、中柱の下端に取り付けてある落とし杆はＷ落としと呼ばれている。このＷ落としは中柱の下部に取り付けてあり、操作するときに必ず腰を曲げなくてはうまく操作できない。しかも、このＷ落としが経年変化して動きが少しでも渋くなり、主に甘くなり、ピン抜け、逆に極端に固くなって、足で蹴って操作するしかできなくなる。これでは本来の手動操作を基準にした耐久力から言っても長持ちせず、受け皿にピンを入れてＷ落としを設置するがその設置が不確実になり、強風時にピンの競上がりなどの現象が発生し、そしてピンが抜けて結果的に中柱が外れ、シャッタが飛んだりして多大な損害を被ることになる。
【００２５】
これらを解消するためには、Ｗ落としの操作性を改善させることが大切である。そのため、無理なく操作できるのが良く、Ｗ落としの操作部を床面から４００〜１０００ｍｍの位置に設け、腰を屈めなくとも操作が楽になり、またＷ落とし自体をも傷めなくて済む。しかしながら、Ｗ落としの全長が長くなることで、途中のロッドが変形して平行性が損なわれる恐れがあり、この点も気に留めなくてはならない。そのため、ロッドの平行性を再現するためのアジャスタを設けている。このアジャスタは落とし杆の上下位置の何れにも設けることで、長年に亘って品質および耐久力を維持できるように工夫した。また、Ｗ落としの上部にはロック機能を設けたため、ピンの競上がりを防止することができるようにした。また、操作性を改善したＷ落としの操作部は立った状態で人の手の位置にあるため、Ｗ落としの操作部である把手部を持って、中柱の移動、設置、および収納などすべての操作が楽になると共に、防犯上にも優れた機能を有することになった。これら少なくとも６つの機能が少しの工夫でしかも安価で、後付可能であり、どのようなメーカタイプにも対応できた。しかも、故障時や、錆びなどでも、上下別々に取り換えができ、メーカ初期設定以上の耐久力を有するようになった。また、下部に設けられた下部機構部には、ＬＥＤ照明機能を有することにした。
【００２６】
これによって、上部に設けられたＷ落としには、ロック機能を備えているので強風時にピンの競上がりを防止できると同時に、このＷ落としの把手が、中柱設置、移動、収納時などの把手として利用され、これらに関わる全ての操作が楽になると同時に防犯上これほど優れた機能を持ったものはない。少なくとも６つの機能が少しの工夫で、しかも安価で後付でき、どんなメーカのタイプにも対応する。また、故障時に主に錆びなどは、上下別々に取り換えでき、本来以上の耐久力を発揮する。
なお、下部に設置されたＷ落としには、ＬＥＤ照明機能を持ち、防水機能付きである。また、受け皿に確実にピンが設置できたかを上部ロック機構と合わせ、確実に落とし込まないとロック機構が効かない。２つの機能でそれが確認でき、目視と感覚（ロック機能）、且つ、照明によって昼夜を問わず受け皿の状態が目視できメンテナンス上とても有効である。また、照明センサ（圧電素子）によって泥棒が柱を動かすと明かりが点き心理的効果、防犯にも有効である。また、夜間これが応急電灯となり、ちょっと光が欲しいとき、何かものを落としたとき、財布の中身を見るときなど工夫によりいろんな使い方が可能である。
【００２７】
また、従来のレバーワンタッチ式や、曲りの架かりやすいものなどでは、ピンの競上がりを防止するため、ピンをロックするためのレバーを取り付け、ワンタッチで解除したり、もう一方のロック機構機能は曲り付きで、ものを引っ掛け易くしている。防犯上不完全な構造である。
また、シャッタ下部（下板）に大きなバールを差し込み、梃の原理でこね上げると手が入るだけの隙間ができるため、ここからドライバーなどでピンを押すと簡単にピンを抜くことができる。また、受皿に空間が多いため、車のタイヤで踏み付けられて破損したり、受け皿が変形したりし易いため、容易に開錠されてしまう。また、他には、Ｗ落としに曲げ部が備えられているがそこに小さなバールとハンマーを用いて、バールを梃の原理を使って簡単にピンを抜くことができる。以上のことからレバーを取り付けているとワンタッチで解錠され、曲りを付けていると簡単にピンを外されることがある。
このように、前述の実施の形態に係るシャッタ中柱固定装置は、１本の中柱に新たにＷ落としを設置したものであるが、その進歩性、機能など今迄にない特長を数多く合わせ持っている。特に、消費者にメリット大で、安価である。
【００２８】
また、商店、工場、事務所などのシャッタなどでの戸締りに対して、従業員の疲労の改善、これに関する時間の短縮ができ、生産性が向上する。
また、始業時や、特に終業時に早く帰宅しようとしたときの心理状態を考えると効果絶大であり、シャッタ全体における取扱いが丁寧になり、メンテナンスに関わる費用を節約できる。
さらに、中柱収納において、多くの人が中柱を横に寝かせたり、立て掛けたりするが、このとき中柱の上部が壁や土間に当たるので、中柱の端部が変形して嵌合のための隙間が狭くなりシャッタを挟むようになり、故障の原因となり易い。特に、中柱の端部の開口部が狭くなるとシャッタの上げ下げが重くなる。また、前述の実施の形態に係るシャッタ中柱固定装置に係る把手が人の手の位置にあるため、非常に楽に収納でき、これに関わる故障の要因が１つ減ることになる。
また、従来のレバー式の場合は、音で確認するため、雨、風、および車などの騒音で消される。
【００２９】
このように、（１）ピンの競上がり防止、（２）ロック機能、照明による心理的予防などで防犯に効果有り、（３）把手を付けたことによって、中柱設置、移動、収納など、操作性が良く、腰を曲げなくて良い、（４）足で操作できない位置に有るため、手で操作することが必然的に行われ、耐久力が維持され、長持ちする、（５）上下別々のアジャスタによって長期に亘って調節ができる、（７）後付けできいろんなタイプに合わせられる、（８）整備性しやすく、メンテナンスにお金が掛からない、（９）ＬＥＤ照明によって、受け皿の掃除、ゴミの排除がし易く、また、受け皿の状態が昼夜を問わずいつも把握できる、（１０）終業時の戸締りにおける疲労が解消され、始業時の操作時間の短縮により気持ち良く開店できる、（１１）シャッタの取扱いが丁寧になりメンテナンスによる費用を節約できる、（１２）安価で、機能と対価面で消費者にメリット大である。
【００３０】
以上、好ましい実施の形態を説明したが、本発明は前記実施の形態に限定されるものではなく、本発明の要旨を逸脱することの無い範囲内において適宜変更が可能なものである。例えば、下部アジャスト機構は下部機構部の上方に設け、上部アジャスト機構は上部機構部の下方に設けているとして説明したが、スペース次第で上方か下方かはどちらでも構わない。さらに多くのアジャスト機構を設けても構わないし、これに限定するものではなく適宜設定可能である。
【００３１】
【符号の説明】
【００３２】
１、１´、１´´  シャッタ中柱固定装置
２  スラット
３  シャッタ面
４  シャッタ
５  中柱
６  シャッタケース
７  嵌合機構
７ａ  係合穴、凹部
８、４８、５８  落とし杆、Ｗ落とし
８ａ、４８ａ  金属棒、左側金属棒、右側金属棒
８ｂ、４８ｂ、５８ｂ  把手部
８ｃ、４８ｃ  突出部
９  ロック機構
１０  上部機構部
１０ａ、１０ｂ  内面
１０ｃ  ガイド孔
１１  上部アジャスト機構
１１ａ  長さ調節ハンドル
１１ｂ  ネジ付ロッド
１２  下部機構部
１２ａ  ガイド孔
１３  下部アジャスト機構
１３ａ  長さ調節ハンドル
１３ｂ  ネジ付ロッド
１４  内壁部
１４ａ  内壁左側支柱
１４ｂ  内壁右側支柱
１５  指用穴
１６  押しボタン
１７  ストップピン
１８  カム
１９  押しボタン
２０  バネ
２１  軸受
２２  軸
２２ａ  軸頭
２３  リテーナ
２４  照明装置
２５  ＬＥＤ照明
２６  電源用電池
２７  制御部
２８  ピエゾ素子
２９  オフタイマ
３０  圧力センサ
３１  スイッチ
３２  貫通孔
４８ｄ  横棒
４８ｅ  上部連結棒
４８ｇ  袋ナット
４８ｈ  連結棒
５８ｆ  下部連結棒